(57)【要約】【課題】イオン交換樹脂を使用して水処理を行う設備のクローズドシステム化を図れる水処理方法及び設備を提供する。【解決手段】陰イオン交換樹脂で原水中の溶解性有機成分を除去するイオン交換処理槽１２と、凝集剤を添加して懸濁成分を沈殿分離する凝集沈殿槽１３と、陰イオン交換樹脂を再生する再生手段１４と、再生手段で発生した再生廃液と凝集沈殿槽で沈殿した汚泥とを混合する固液混合分離槽１５と、固液混合分離槽で混合した固液混合物中の液成分を分離して抜き出し、原水に混合する液成分返送経路２８とを備えている。【選択図】図１
2014000510.tif 000002
【特許請求の範囲】
【請求項１】
原水を陰イオン交換樹脂に接触させて原水中に含まれる溶解性有機成分を除去するイオン交換工程と、原水に凝集剤を添加して原水中に含まれる懸濁成分を凝集させて沈殿分離する凝集沈殿工程と、前記イオン交換工程で前記溶解性有機成分を吸着した前記陰イオン交換樹脂を塩化ナトリウム水溶液を使用して再生する再生工程と、該再生工程で前記陰イオン交換樹脂を再生することにより発生した再生廃液と前記凝集沈殿工程で沈殿して排出された汚泥とを混合する固液混合分離工程と、該固液混合分離工程で混合した固液混合物中の液成分を抜き出して前記原水に混合する液成分返送工程とを含むことを特徴とする水処理方法。
【請求項２】
前記凝集沈殿工程は、前記イオン交換工程の後段で行うことを特徴とする請求項１記載の水処理方法。
【請求項３】
前記イオン交換工程は、前記凝集沈殿工程の後段で行うことを特徴とする請求項１記載の水処理方法。
【請求項４】
前記固液混合分離工程は、前記再生廃液と前記汚泥とを混合する混合段階と、混合した固液混合物中の汚泥を濃縮して分離する汚泥濃縮段階とを有しており、原水に混合する前記液成分は、前記汚泥濃縮段階で抜き出すことを特徴とする請求項１乃至３のいずれか１項記載の水処理方法。
【請求項５】
原水を陰イオン交換樹脂に接触させて原水中に含まれる溶解性有機成分を除去するイオン交換処理槽と、原水に凝集剤を添加して原水中に含まれる懸濁成分を凝集させて沈殿分離する凝集沈殿槽と、前記イオン交換処理槽で前記溶解性有機成分を吸着した前記陰イオン交換樹脂を塩化ナトリウム水溶液を使用して再生する再生手段と、該再生手段で前記陰イオン交換樹脂を再生することにより発生した再生廃液と前記凝集沈殿槽で沈殿して排出された汚泥とを混合する固液混合分離槽と、該固液混合分離槽で混合した固液混合物中の液成分を抜き出して前記原水に混合する液成分返送経路とを備えていることを特徴とする水処理装置。
【請求項６】
前記凝集沈殿槽は、前記イオン交換処理槽の後段に設けられていることを特徴とする請求項５記載の水処理設備。
【請求項７】
前記イオン交換処理槽は、前記凝集沈殿槽の後段に設けられていることを特徴とする請求項５記載の水処理設備。
【請求項８】
前記固液混合分離槽は、前記再生廃液と前記汚泥とを混合する混合部と、混合した固液混合物中の汚泥を濃縮して分離する汚泥濃縮部とを備えるとともに、前記液成分返送経路は、前記汚泥濃縮部で発生した分離水を、前記原水に混合することを特徴とする請求項５乃至７のいずれか１項記載の水処理設備。
【発明の詳細な説明】
【技術分野】
【０００１】
本発明は、水処理方法及び設備に関し、詳しくは、イオン交換樹脂を使用した水処理方法及び設備に関する。
【背景技術】
【０００２】
溶解性有機成分濃度が高い原水を処理する方法として、陰イオン交換樹脂に前記溶解性有機成分を吸着して原水中から除去する方法が知られている。陰イオン交換樹脂は、再生液、通常は塩化ナトリウム水溶液（食塩水）で再生処理を行うことにより、吸着した有機成分などの不純物を脱離して再利用することができる。一方、再生液は、陰イオン交換樹脂から脱離した不純物を含む再生廃液となる。この再生廃液は、塩分及び不純物を含んでいるため、原水とは別に処理する必要があり、例えば、再生廃液にポリ塩化アルミニウムを添加して有機物及び硫酸塩を凝集沈殿させて再生廃液から除去することにより、再生廃液を再生液として再利用することが提案されている（例えば、特許文献１参照。）。
【先行技術文献】
【特許文献】
【０００３】
【特許文献１】特開２００５−２９６７５６号公報
【発明の概要】
【発明が解決しようとする課題】
【０００４】
しかし、再生廃液から除去した有機物及び硫酸塩を含む沈殿物からなる廃棄物が発生するため、この廃棄物を処理するための設備が必要となり、水処理設備内に廃棄物処理設備を設けたり、廃棄物を処理業者に運搬したりする必要があった。
【０００５】
そこで本発明は、イオン交換樹脂を使用して水処理を行うに当たり、特別な設備を付加せずにクローズドシステムを構築することができる水処理方法及び設備を提供することを目的としている。
【課題を解決するための手段】
【０００６】
上記目的を達成するため、本発明の水処理方法は、原水を陰イオン交換樹脂に接触させて原水中に含まれる溶解性有機成分を除去するイオン交換工程と、原水に凝集剤を添加して原水中に含まれる懸濁成分を凝集させて沈殿分離する凝集沈殿工程と、前記イオン交換工程で前記溶解性有機成分を吸着した前記陰イオン交換樹脂を塩化ナトリウム水溶液を使用して再生する再生工程と、該再生工程で前記陰イオン交換樹脂を再生することにより発生した再生廃液と前記凝集沈殿工程で沈殿して排出された汚泥とを混合する固液混合分離工程と、該固液混合分離工程で混合した固液混合物中の液成分を分離して前記原水に混合する液成分返送工程とを含むことを特徴としている。
【０００７】
さらに、本発明の水処理方法は、前記凝集沈殿工程を前記イオン交換工程の後段で行ってもよく、前記イオン交換工程を前記凝集沈殿工程の後段で行ってもよい。加えて、前記固液混合分離工程は、前記再生廃液と前記汚泥とを混合する混合段階と、混合した固液混合物中の汚泥を濃縮して分離する汚泥濃縮段階とを有し、原水に混合する前記液成分は、前記汚泥濃縮段階で抜き出すことを特徴としている。
【０００８】
また、本発明の水処理設備は、原水を陰イオン交換樹脂に接触させて原水中に含まれる溶解性有機成分を除去するイオン交換処理槽と、原水に凝集剤を添加して原水中に含まれる懸濁成分を凝集させて沈殿分離する凝集沈殿槽と、前記イオン交換処理槽で前記溶解性有機成分を吸着した前記陰イオン交換樹脂を塩化ナトリウム水溶液を使用して再生する再生手段と、該再生手段で前記陰イオン交換樹脂を再生することにより発生した再生廃液と前記凝集沈殿槽で沈殿して排出された汚泥とを混合する固液混合分離槽と、該固液混合分離槽で混合した固液混合物中の液成分を分離して前記原水に混合する液成分返送経路とを備えていることを特徴としている。
【０００９】
さらに、本発明の水処理装置は、前記凝集沈殿槽が前記イオン交換処理槽の後段に設けられていても、イオン交換処理槽が凝集沈殿槽の後段に設けられていてもよく、前記固液混合分離槽は、前記再生廃液と前記汚泥とを混合する混合部と、混合した固液混合物中の汚泥を濃縮して分離する汚泥濃縮部とを備えるとともに、前記液成分返送経路は、前記汚泥濃縮部で発生した分離水を、前記原水に混合するように形成されていることが好ましい。
【発明の効果】
【００１０】
本発明によれば、再生廃液を凝集剤を含む汚泥と混合することにより、再生廃液中の有機物を汚泥中に取り込むことができ、液成分を原水に混合することが可能となるとともに、有機物などを取り込んだ汚泥は、通常の水処理で発生する余剰汚泥と同様に処理することができる。これにより、イオン交換樹脂を使用して水処理を行う設備のクローズドシステム化を図ることができる。
【図面の簡単な説明】
【００１１】
【図１】本発明の水処理方法を実施可能な水処理設備の第１形態例を示す系統図である。
【図２】本発明の水処理方法を実施可能な水処理設備の第２形態例を示す系統図である。
【発明を実施するための形態】
【００１２】
図１に示す水処理設備の第１形態例は、原水槽１１と、前記原水と陰イオン交換樹脂とを接触させるイオン交換処理槽１２と、イオン交換処理後の原水（以下、イオン交換処理水という。）に凝集剤を添加して懸濁成分を凝集沈殿分離する凝集沈殿槽１３と、前記イオン交換処理槽１２で原水と接触後の前記陰イオン交換樹脂を再生する再生手段１４と、該再生手段１４で発生する再生廃液と前記凝集沈殿槽１３で沈殿した汚泥とを混合する固液混合分離槽１５とを備えている。
【００１３】
前記イオン交換処理槽１２は、原水と陰イオン交換樹脂とを接触させて原水中に含まれる溶解性有機成分（溶解性有機炭素：ＤＯＣ）を陰イオン交換樹脂に吸着させて原水中から除去するイオン交換工程を行うものであって、該イオン交換工程では、陰イオン交換樹脂の交換基である塩化物イオン又は塩素イオンと原水中の負電荷有機物とがイオン交換することにより、負電荷有機物が陰イオン交換樹脂に吸着されて原水中から除去される。
【００１４】
イオン交換処理槽１２の後段に設けられた凝集沈殿槽１３は、イオン交換処理槽１２でイオン交換処理後のイオン交換処理水に、凝集剤添加経路２１から硫酸アルミニウム（硫酸バンド）やポリ塩化アルミニウム（ＰＡＣ）といった凝集剤を添加し、該凝集剤によってイオン交換処理水中の懸濁成分を凝集させて沈殿させることにより、懸濁成分を含まない上澄み水と凝集剤で凝集した懸濁成分からなる汚泥とに分離する凝集沈殿工程を行うものであって、凝集沈殿槽１３には、上澄み水を処理水として濾過池等の後処理設備に導出する処理水導出経路２２と、沈殿した汚泥を抜き取って前記固液混合分離槽１５に送出する汚泥抜出経路２３とが設けられている。
【００１５】
前記再生手段１４は、前記イオン交換処理槽１２で前記溶解性有機成分を吸着した前記陰イオン交換樹脂を再利用可能な状態に再生する再生工程を行うためのものであって、イオン交換処理槽１２から樹脂再生経路２４を介して流入した陰イオン交換樹脂を所定濃度の塩化ナトリウム水溶液で処理することにより、陰イオン交換樹脂に吸着している負電荷有機物と塩化ナトリウム水溶液中の塩化物イオン又は塩素イオンとを交換させて陰イオン交換樹脂を再生する。再生した陰イオン交換樹脂は、再生樹脂循環経路２５を通ってイオン交換処理槽１２に循環して再利用され、陰イオン交換樹脂から脱離した負電荷有機物を含む再生廃液は、再生廃液導出経路２６から前記固液混合分離槽１５に送られる。
【００１６】
固液混合分離槽１５は、前記汚泥抜出経路２３からの汚泥と前記再生廃液導出経路２６からの再生廃液とを混合する固液混合段階を行う固液混合部１５ａと、該固液混合部１５ａで混合した固液混合物中の固形分（汚泥）を濃縮して分離する汚泥濃縮段階を行う汚泥濃縮部１５ｂとを有しており、再生廃液中の前記負電荷有機物の一部は、固液混合部１５ａで汚泥と混合した際に、凝集剤の作用で汚泥中に取り込まれて液中の有機物濃度が低下する。汚泥濃縮部１５ｂで濃縮分離された汚泥は、汚泥引抜経路２７に引き抜かれて汚泥処理設備１６に送られ、汚泥濃縮部１５ｂで汚泥から分離した液成分は、液成分返送工程によって液成分返送経路２８から前記原水槽１１に返送され、負電荷有機物濃度が低下した液成分が原水に混合されて再処理される。
【００１７】
図２に示す水処理設備の第２形態例は、前記第１形態例におけるイオン交換処理槽１２と凝集沈殿槽１３との位置を入れ替え、原水槽１１の後段に凝集沈殿槽１３を配置し、該凝集沈殿槽１３の後段にイオン交換処理槽１２を配置した例を示している。なお、以下の説明において、前記第１形態例に示した水処理設備の構成要素と同一の構成要素には同一の符号を付して詳細な説明は省略する。
【００１８】
本形態例では、原水槽１１からの原水は、最初に凝集沈殿槽１３に流入し、凝集剤添加経路２１から添加された凝集剤によって原水中の懸濁成分を凝集させて沈殿させた後、上澄み水をイオン交換処理槽１２に導入して陰イオン交換樹脂と接触させ、原水中に含まれる溶解性有機成分を陰イオン交換樹脂に吸着させて原水中から除去するように構成している。
【００１９】
イオン交換処理槽１２で使用した陰イオン交換樹脂は、前記第１形態例と同様に、樹脂再生経路２４から再生手段１４に導入されて塩化ナトリウム水溶液で再生処理され、再生後の陰イオン交換樹脂は、再生樹脂循環経路２５を通ってイオン交換処理槽１２に循環して再利用される。さらに、凝集沈殿槽１３から汚泥抜出経路２３に抜き取られた汚泥と、再生手段１４から再生廃液導出経路２６に導出された再生廃液とは、固液混合分離槽１５の固液混合部１５ａで混合して再生廃液中の負電荷有機物等を汚泥中に取り込み、汚泥濃縮部１５ｂで汚泥から分離した液成分は、液成分返送経路２８を通って原水槽１１に返送される。また、イオン交換処理槽１２で溶解性有機成分を除去した処理水は、処理水導出経路２２から後段の設備に送られる。
【００２０】
前記両形態例に示すように、原水中の溶解性有機成分を吸着した陰イオン交換樹脂を再生する際に発生する再生廃液と、原水中の懸濁成分を凝集剤で凝集させた汚泥とを混合することにより、再生廃液中の溶解性有機成分を汚泥中に取り込むことができるので、汚泥から分離した液成分を原水に混合して再処理することが可能となる。これにより、再生廃液を外部に排出することなく、設備内で処理することができ、イオン交換樹脂を使用した水処理設備のクローズドシステム化を図ることができる。さらに、両形態例に示す水処理設備では、溶解性有機成分の低減だけでなく、トリハロメタン生成能（ＴＨＭＦＰ）の低減、色度の改善、塩素要求量の低減も図ることができる。
【００２１】
したがって、両形態例に示す水処理設備の後段に浄水処理設備が設けられている場合は、該浄水処理設備の有機物負荷が軽減されるため、浄水処理設備における処理水質の向上を図ることができ、凝集剤の添加量も低減できるので、凝集改善も図ることができる。また、高度浄水処理におけるオゾン量低減なども図ることができる。
【００２２】
表１は、凝集沈殿槽１３で沈殿して抜き取った汚泥に、再生手段１４から導出した再生廃液を０．２〜５．０容積％の割合で混合したときの液成分における紫外線吸光度及び色度を測定した結果の一例を示している。表１の結果から、この実験で使用した汚泥の場合は、再生廃液を汚泥に対して数％混合することにより、液成分中の溶解性有機物が汚泥中に取り込まれることによって計算値に比べて実測値が大幅に小さくなり、液成分における紫外線吸光度及び色度が改善されていることがわかる。
【表１】
2014000510.tif 000003
【００２３】
なお、イオン交換処理槽における原水と陰イオン交換樹脂との接触、原水と接触後の陰イオン交換樹脂の分離回収などは、この種の装置に用いられている一般的な装置構成を採用することができ、陰イオン交換樹脂の再生手段も、一般的な機器構成を採用することができる。また、本発明は、溶解性有機成分濃度が高い原水の処理に適しているが、原水の性状は特に限定されるものではなく、溶解性有機成分濃度が比較的高い河川系表層水や湖沼水をはじめとして、伏流水や地下水といった水源にも適用することができる。さらに、固液混合分離槽は、濃縮を行わずに自然沈降などによる固液分離のみで液成分を分離するものであってもよい。
【符号の説明】
【００２４】
１１…原水槽、１２…イオン交換処理槽、１３…凝集沈殿槽、１４…再生手段、１５…固液混合分離槽、１５ａ…固液混合部、１５ｂ…汚泥濃縮部、１６…汚泥処理設備、２１…凝集剤添加経路、２２…処理水導出経路、２３…汚泥抜出経路、２４…樹脂再生経路、２５…再生樹脂循環経路、２６…再生廃液導出経路、２７…汚泥引抜経路、２８…液成分返送経路
【図１】
2014000510.tif 000004
【図２】
2014000510.tif 000005